(57)【要約】【課題】効果的、効率的、かつ簡単に、ユーザにプレゼンテーションを見せることができるコンテンツ作成システム、コンテンツ配信サーバ、コンテンツ再生クライアントおよびプログラムを提供することを目的とするものである。【解決手段】プレゼンテーションと、複数存在する再生方法毎にプレゼンテーションの再生方法を記述したプレゼンテーション再生情報とを、ひとまとまりにし（プレゼンテーションパックし）、生成・管理配信・再生するコンテンツ作成システム、配信システム、再生システムであり、これによって、プレゼンテーションの様々な再生の仕方が可能である。【選択図】  図１
2004348220.tif 000002
【特許請求の範囲】
【請求項１】
プレゼンテーションと、複数存在する再生方法毎にプレゼンテーションの再生方法が記述されているプレゼンテーション再生情報とを、生成することを特徴とするコンテンツ作成システム。
【請求項２】
プレゼンテーションと、複数存在する再生方法毎にプレゼンテーションの再生方法が記述されているプレゼンテーション再生情報とを、管理配信することを特徴とするコンテンツ配信サーバ。
【請求項３】
複数存在する再生方法毎にプレゼンテーションの再生方法が記述されているプレゼンテーション再生情報に従い、プレゼンテーションを再生することを特徴とするコンテンツ再生クライアント。
【請求項４】
プレゼンテーションと、複数存在する再生方法毎にプレゼンテーションの再生方法が記述されているプレゼンテーション再生情報とを、生成する手順をコンピュータに実行させるプログラム。
【請求項５】
プレゼンテーションと、複数存在する再生方法毎にプレゼンテーションの再生方法が記述されているプレゼンテーション再生情報とを、管理配信する手順をコンピュータに実行させるプログラム。
【発明の詳細な説明】
【０００１】
【発明の属する技術分野】
本発明は、マルチメディアコンテンツの作成・配信・再生方法に関する。
【０００２】
【従来の技術】
従来、プレゼンテーション（コンテンツ素材）と、その再生方法とが切り離されてはいない。
【０００３】
たとえば、
プレゼンテーション：ＤＶＤの“各”映像チャプター
再生方法：ＤＶＤの内容に従って再生
を考えると、各映像のチャプター番号は、ＤＶＤが出荷された時点で、１つの値に固定され、再生機器の機能のプログラムを、ユーザが再生しなければ、再生方法は、チャプター１から順にチャプター２、３、……と、終わりまで、必ず同じ順序で再生される（たとえば、非特許文献１参照）。
【０００４】
【非特許文献１】
“ＤＶＤフォーラム”＜ｈｔｔｐ：／／ｗｗｗ．ｄｖｄｆｏｒｕｍ．ｇｒ．ｊｐ／ｉｎｄｅｘ．ｈｔｍ＞＜ｈｔｔｐ：／／ｗｗｗ．ｄｖｄｆｏｒｕｍ．ｇｒ．ｊｐ／Ｔｅｃｈｎｏｌｏｇｙ／０２．ｈｔｍｌ＞
【０００５】
【発明が解決しようとする課題】
上記従来例においては、プレゼンテーションオーサリング者は、複数かつ様々な再生方法を提供することができないという問題がある。たとえば、次のような場合には再生することができず、したがって、多様な再生を行うことができないという問題がある。
（１）オーサリング者の作品意図で、時間に応じたスケジュールを再生させたい場合。
（２）オーサリング者の作品意図で、プレゼンテーション３，２，１の順“にも”再生させたい場合。
（３）ユーザの意思によって、再生するプレゼンテーションを選ばせたい場合。
（４）上記の様々な再生方法を、遠隔サーバから指示したい場合。
（５）上記の様々な再生方法を、ユーザが指示したい場合。
【０００６】
本発明は、効果的、効率的、かつ簡単に、ユーザにプレゼンテーションを見せることができるコンテンツ作成システム、コンテンツ配信サーバ、コンテンツ再生クライアントおよびプログラムを提供することを目的とするものである。
【０００７】
【課題を解決するための手段】
本発明は、プレゼンテーションと、複数存在する再生方法毎にプレゼンテーションの再生方法を記述したプレゼンテーション再生情報とを、ひとまとまりにし（プレゼンテーションパックし）、生成・管理配信・再生するコンテンツ作成システム、配信システム、再生システムであり、これによって、プレゼンテーションの様々な再生の仕方が可能である。
【０００８】
【発明の実施の形態および実施例】
図１は、本発明の第１の実施例であるプレゼンテーションパックＰＰ１の構成例を示す図である。
【０００９】
プレゼンテーションパックＰＰ１は、複数個のプレゼンテーション（コンテンツ素材）Ｐと、上記各プレゼンテーションＰのそれぞれに対応するプレゼンテーション再生情報ＰＲとによって構成されている。
【００１０】
プレゼンテーション再生情報ＰＲは、再生すべきプレゼンテーションＰへのポインタ（リンク情報）と、どのように再生すべきかを示す情報とを記述している情報である。
【００１１】
図２は、プレゼンテーションパックＰＰ１において、プレゼンテーション再生情報ＰＲが、メニューＭと自動プレゼンテーションスクリプトＡＰＳとを有し、それぞれが、プレゼンテーションＰへの再生ポインタを示している状態を示す図である。
【００１２】
プレゼンテーションパックＰＰ１において、プレゼンテーションＰとプレゼンテーション再生情報ＰＲとが切り離され、この切り離しによって、プレゼンテーションＰを独立に作成することができ、様々な再生方法を、設定、実現することができる。
【００１３】
次に、プレゼンテーション再生情報ＰＲの１つの例としての「メニューＭ」について説明する。
【００１４】
図３は、上記実施例において、ユーザから見たメニューＭのイメージを示す図である。
【００１５】
メニューＭには、画面レイアウト情報と、プレゼンテーションＰへのリンク情報とが記憶され、ユーザが選択することによって、そのユーザが好きなプレゼンテーションＰを再生することができる。
【００１６】
図４は、上記実施例において、メニューＭと各プレゼンテーションＰとの関係を示す図である。
【００１７】
次に、別のプレゼンテーション再生情報ＰＲの例としての「自動プレゼンテーションスクリプトＡＰＳ」について、説明する。
【００１８】
図５は、自動プレゼンテーションスクリプトＡＰＳの例を示す図である。
【００１９】
図６は、自動プレゼンテーションスクリプトＡＰＳが、プレゼンテーションＰを再生する時刻や順番等を含み、ユーザの操作がなくても、プレゼンテーションＰを自動で再生することができることを示す図である。
【００２０】
図７は、クライアントの作りによっては、ユーザが、複数のプレゼンテーション再生情報ＰＲのうちから、１つのプレゼンテーション再生情報ＰＲを選び、この選択されたプレゼンテーション再生情報ＰＲを再生することもできることを示す図である。
【００２１】
同じようにして、遠隔のサーバから、複数のプレゼンテーション再生情報ＰＲのうちから、１つのプレゼンテーション再生情報ＰＲを選ぶ指示を与え、自動再生させることもできる。
【００２２】
図８は、プレゼンテーションパックＰＰ１の生成機構を示す図である。
【００２３】
プレゼンテーションＰを作成した後に、そのプレゼンテーションＰのパス等の情報と、再生させたい方法とを、プレゼンテーション再生情報ＰＲに記述する。
【００２４】
図９は、プレゼンテーションパックＰＰ１の再生機構を示す図である。
【００２５】
プレゼンテーション再生情報解析部が、プレゼンテーションＰの再生方法を解析した後に、プレゼンテーションＰを再生する。
【００２６】
図１０は、クライアントＣＬ１が蓄積型配信でプレゼンテーションパックＰＰ１を取得し、再生させるシステムを示す図である。
【００２７】
クライアントは、複数のプレゼンテーションパックＰＰ１を、プレゼンテーション配信サーバＳＶ１から、予めダウンロードし、サーバＳＶ１またはユーザから、再生すべきプレゼンテーションパックＰＰ１を選択する指示を受け、プレゼンテーションＰを再生する。
【００２８】
このように、複数のプレゼンテーションパックＰＰ１の蓄積と、プレゼンテーションパックＰＰ１の切り替え機能とを有することによって、蓄積型配信であるにもかかわらず、再生するプレゼンテーションパックＰＰ１を、瞬時に切り替えることができる。
【００２９】
図１１は、クライアントＣＬ１が、オンデマンド型配信で、プレゼンテーションパックＰＰ１を、プレゼンテーション配信サーバＳＶ１から、取得し、再生するシステムを示す図である。
【００３０】
クライアントＣＬ１は、サーバＳＶ１またはユーザから、再生すべきプレゼンテーションパックＰＰ１を選択する指示を受け、必要に応じて、サーバＳＶ１から、プレゼンテーションパックＰＰ１の全部または一部を取得し、プレゼンテーションパックＰＰ１を再生する。
【００３１】
オンデマンド型配信に用いることによって、クライアントＣＬ１は、過剰な蓄積領域を持つ必要がない。
【００３２】
すなわち、プレゼンテーション配信サーバＳＶ１は、プレゼンテーションと、複数存在する再生方法毎にプレゼンテーションの再生方法が記述されているプレゼンテーション再生情報とを管理配信するコンテンツ配信サーバの例である。
【００３３】
また、再生クライアントＣＬ１は、複数存在する再生方法毎にプレゼンテーションの再生方法が記述されているプレゼンテーション再生情報に従い、プレゼンテーションを再生するコンテンツ再生クライアントの例である。
【００３４】
さらに、上記実施例に示すシステムは、プレゼンテーションと、複数存在する再生方法毎にプレゼンテーションの再生方法が記述されているプレゼンテーション再生情報とを生成するコンテンツ作成システムの例である。
【００３５】
つまり、上記実施例によれば、プレゼンテーションを、様々な再生方法で再生することができ、したがって、これまで以上に効果的、効率的、かつ簡単に、ユーザにプレゼンテーションを見せることができる。
【００３６】
また、上記実施例をプログラムの発明として把握することができる。
【００３７】
つまり、上記実施例は、プレゼンテーションと、複数存在する再生方法毎にプレゼンテーションの再生方法が記述されているプレゼンテーション再生情報とを、生成する手順をコンピュータに実行させるプログラムの例である。
【００３８】
また、上記実施例は、プレゼンテーションと、複数存在する再生方法毎にプレゼンテーションの再生方法が記述されているプレゼンテーション再生情報とを、管理配信する手順をコンピュータに実行させるプログラムの例である。
【００３９】
さらに、上記実施例は、複数存在する再生方法毎にプレゼンテーションの再生方法が記述されているプレゼンテーション再生情報に従い、プレゼンテーションを再生する手順をコンピュータに実行させるプログラムの例である。
【００４０】
また、上記プログラムを、ＣＤ、ＤＶＤ、ＨＤ、半導体メモリ等の記録媒体に記録するようにしてもよい。
【００４１】
【発明の効果】
本発明によれば、プレゼンテーションを、様々な再生方法で再生することができ、したがって、これまで以上に効果的、効率的、かつ簡単に、ユーザにプレゼンテーションを見せることができるという効果を奏する。
【図面の簡単な説明】
【図１】本発明の第１の実施例であるプレゼンテーションパックＰＰ１の構成例を示す図である。
【図２】プレゼンテーションパックＰＰ１において、プレゼンテーション再生情報ＰＲが、メニューＭと自動プレゼンテーションスクリプトＡＰＳとを有し、それぞれが、プレゼンテーションＰへの再生ポインタを示している状態を示す図である。
【図３】上記実施例において、ユーザから見たメニューＭのイメージを示す図である。
【図４】上記実施例において、メニューＭと各プレゼンテーションＰとの関係を示す図である。
【図５】自動プレゼンテーションスクリプトＡＰＳの例を示す図である。
【図６】自動プレゼンテーションスクリプトＡＰＳが、プレゼンテーションＰを再生する時刻や順番等を含み、ユーザの操作がなくても、プレゼンテーションＰを自動で再生することができることを示す図である。
【図７】クライアントの作りによっては、ユーザが、複数のプレゼンテーション再生情報ＰＲのうちから、１つのプレゼンテーション再生情報ＰＲを選び、この選択されたプレゼンテーション再生情報ＰＲを再生することもできることを示す図である。
【図８】プレゼンテーションパックＰＰ１の生成機構を示す図である。
【図９】プレゼンテーションパックＰＰ１の再生機構を示す図である。
【図１０】クライアントＣＬ１が蓄積型配信でプレゼンテーションパックＰＰ１を取得し、再生させるシステムを示す図である。
【図１１】クライアントＣＬ１が、オンデマンド型配信で。プレゼンテーションパックＰＰ１を、プレゼンテーション配信サーバＳＶ１から、取得し、再生するシステムを示す図である。
【符号の説明】
ＰＰ１…プレゼンテーションパック、
ＰＲ…プレゼンテーション再生情報、
Ｐ…プレゼンテーション、
Ｍ…メニュー、
ＡＰＳ…自動プレゼンテーションスクリプト、
ＳＶ１…プレゼンテーション配信サーバ、
ＣＬ１…クライアント。
【図１】
2004348220.tif 000003
【図２】
2004348220.tif 000004
【図３】
2004348220.tif 000005
【図４】
2004348220.tif 000006
【図５】
2004348220.tif 000007
【図６】
2004348220.tif 000008
【図７】
2004348220.tif 000009
【図８】
2004348220.tif 000010
【図９】
2004348220.tif 000011
【図１０】
2004348220.tif 000012
【図１１】
2004348220.tif 000013